(57)【要約】【課題】通気性を高めることができ、搬送サイズを低減することができる組立式ベッドを提供すること。【解決手段】本発明は、左右に二分割されているヘッドフレームと、左右に二分割されているフットフレームと、前後に二分割されている左サイドフレームと、前後に二分割されている右サイドフレームと、前後に二分割されている縦センターフレームと、前後に分割されている横センターフレームと、前記左サイドフレームの上部右側面に設けられた第１床板支持棚と、前記縦センターフレームの上部左側面に設けられた第２床板支持棚と、前記縦センターフレームの上部右側面に設けられた第３床板支持棚と、前記右サイドフレームの上部左側面に設けられた第４床板支持棚と、前記第１床板支持棚と前記第２床板支持棚との間に渡された２枚以上の左床板と、前記第３床板支持棚と前記第４床板支持棚との間に渡された２枚以上の右床板と、を備える。【選択図】図２
2019013368.tif 000002
【特許請求の範囲】
【請求項１】
中央で左右に二分割されているヘッドフレームと、
中央で左右に二分割されているフットフレームと、
中央で前後に二分割されている左サイドフレームと、
中央で前後に二分割されている右サイドフレームと、
中央で前後に二分割されている縦センターフレームと、
中央で前後に二分割されている横センターフレームと、
前記左サイドフレームの上部右側面に設けられた第１床板支持棚と、
前記縦センターフレームの上部左側面に設けられた第２床板支持棚と、
前記縦センターフレームの上部右側面に設けられた第３床板支持棚と、
前記右サイドフレームの上部左側面に設けられた第４床板支持棚と、
前記第１床板支持棚と前記第２床板支持棚との間に渡された２枚以上の左床板と、
前記第３床板支持棚と前記第４床板支持棚との間に渡された２枚以上の右床板と、
を備え、
前記ヘッドフレーム、前記フットフレーム、前記左サイドフレーム、前記右サイドフレーム、前記縦センターフレーム及び前記横センターフレームの各々は、それぞれ二分割された状態で、平面視で一辺が１２５ｃｍ以内の長方形部材として構成されており、
前記左床板及び前記右床板の各々も、平面視で一辺が１２５ｃｍ以内の長方形部材として構成されている
ことを特徴とする組立式ベッド。
【請求項２】
前記左床板は、前記第１床板支持棚と前記第２床板支持棚との間に、４枚が渡されており、
前記右床板も、前記第３床板支持棚と前記第４床板支持棚との間に、４枚が渡されており、
前記４枚の左床板及び前記４枚の右床板は、サイズが同一である
ことを特徴とする請求項１に記載の組立式ベッド。
【請求項３】
中央で左右に二分割されているヘッドボード前板と、
前記ヘッドボード前板の左側端部及び前記ヘッドフレームの左側端部に接続されたヘッドボード左板と、
前記ヘッドボード前板の右側端部及び前記ヘッドフレームの右側端部に接続されたヘッドボード右板と、
を更に備え、
前記ヘッドボード前板も、二分割された状態で、平面視で一辺が１２５ｃｍ以内の長方形部材として構成されている
ことを特徴とする請求項１または２に記載の組立式ベッド。
【請求項４】
前記二分割されているヘッドボード前板は、ヘッド接続板を介して連結され、
前記二分割されているヘッドフレームも、前記ヘッド接続板を介して連結される
ことを特徴とする請求項３に記載の組立式ベッド。
【請求項５】
前記左サイドフレームは、前端部において前記ヘッドボード左板に連結され、
前記右サイドフレームは、前端部において前記ヘッドボード右板に連結され、
前記縦センターフレームは、前端部において前記ヘッド接続板に連結される
ことを特徴とする請求項４に記載の組立式ベッド。
【請求項６】
前記二分割されている横センターフレームは、センター接続板を介して連結され、
前記二分割されている縦センターフレームも、前記センター接続板を介して連結され、
前記二分割されているフットフレームは、フット接続板を介して連結される
ことを特徴とする請求項１乃至５のいずれかに記載の組立式ベッド。
【発明の詳細な説明】
【技術分野】
【０００１】
本発明は、コンパクトな要素部材に分割することが可能な組立式ベッドに関する。
【背景技術】
【０００２】
従来は、ベッドの堅牢性が重視され、ベッドの床板やベッドのフレームは、一体物であることが主流であった。
【発明の概要】
【発明が解決しようとする課題】
【０００３】
しかしながら、近年では、各要素部材の材質の改良等によって環境温度変化に起因する当該要素部材の熱変形が抑制され、更に、カムロック等の普及によって簡易な組立方法であっても「ガタ」のない組立が実現されてきたことに伴い、組立式ベッドが商品化されるようになってきた。
【０００４】
具体的には、例えば床板を分割した商品や、サイドフレームを分割した商品などが、既に開発されて販売されている。
【０００５】
本件発明者は、そのような傾向を踏まえ、商品価値の高い組立式ベッドの開発に携わってきた。そして、鋭意の検討の結果、縦センターフレームを採用し、当該縦センターフレームの左右において床板を分割することが、分割された床板要素の搬送サイズを低減する上で好適であること、更には床板の下方領域と上方領域との間の通気性を高める上でも好適であること、を知見するに至った。
【０００６】
更に、本件発明者は、そのような床板要素のコンパクト化の実現を踏まえて、ヘッドフレーム及びフットフレームをも左右に分割することで、組立式ベッドの要素部材の搬送サイズをより一層低減できることを知見するに至った。
【０００７】
本発明は、以上の知見に基づいて創案されたものである。本発明の目的は、床板の下方領域と上方領域との間の通気性を高めることができ、且つ、分割状態（分解状態）での要素部材の搬送サイズをより一層低減することができる組立式ベッドを提供することである。
【課題を解決するための手段】
【０００８】
本発明は、中央で左右に二分割されているヘッドフレームと、中央で左右に二分割されているフットフレームと、中央で前後に二分割されている左サイドフレームと、中央で前後に二分割されている右サイドフレームと、中央で前後に二分割されている縦センターフレームと、中央で前後に二分割されている横センターフレームと、前記左サイドフレームの上部右側面に設けられた第１床板支持棚と、前記縦センターフレームの上部左側面に設けられた第２床板支持棚と、前記縦センターフレームの上部右側面に設けられた第３床板支持棚と、前記右サイドフレームの上部左側面に設けられた第４床板支持棚と、前記第１床板支持棚と前記第２床板支持棚との間に渡された２枚以上の左床板と、前記第３床板支持棚と前記第４床板支持棚との間に渡された２枚以上の右床板と、を備え、前記ヘッドフレーム、前記フットフレーム、前記左サイドフレーム、前記右サイドフレーム、前記縦センターフレーム及び前記横センターフレームの各々は、それぞれ二分割された状態で、平面視で一辺が１２５ｃｍ以内の長方形部材として構成されており、前記左床板及び前記右床板の各々も、平面視で一辺が１２５ｃｍ以内の長方形部材として構成されていることを特徴とする組立式ベッドである。
【０００９】
本発明によれば、床板が縦センターフレームの左右において左床板と右床板とに分割されているため、床板の下方領域と上方領域との間の通気性を効果的に高めることができる。そして、各要素部材が、平面視で一辺が１２５ｃｍ以内の長方形部材として構成されていることにより、搬送サイズをより一層低減することができ、且つ、ユーザによる組立作業の際の取り扱いも容易である。
【００１０】
本発明において、前記左床板は、前記第１床板支持棚と前記第２床板支持棚との間に４枚が渡されており、前記右床板も、前記第３床板支持棚と前記第４床板支持棚との間に４枚が渡されており、前記４枚の左床板及び前記４枚の右床板は、サイズが同一であることが好ましい。
【００１１】
この場合、床板は八分割された態様となり、床板の下方領域と上方領域との間の通気性をバランス良く高めることができる。また、各床板のサイズのバランスも良くなり、搬送サイズの調整も行い易くなる。
【００１２】
また、本発明の組立式ベッドは、中央で左右に二分割されているヘッドボード前板と、前記ヘッドボード前板の左側端部及び前記ヘッドフレームの左側端部に接続されたヘッドボード左板と、前記ヘッドボード前板の右側端部及び前記ヘッドフレームの右側端部に接続されたヘッドボード右板と、を更に備え、前記ヘッドボード前板も、二分割された状態で、平面視で一辺が１２５ｃｍ以内の長方形部材として構成されていることが好ましい。
【００１３】
この場合、荷重の変動を受け易いヘッドボード回りの構造が堅牢となり、ベッドの使い勝手が良くなる。また、二分割された状態のヘッドボード前板が、平面視で一辺が１２５ｃｍ以内の長方形部材として構成されていることにより、搬送サイズが増大することもなく、ユーザによる組立作業の際の取り扱いも容易である。
【００１４】
例えば、前記二分割されているヘッドボード前板は、ヘッド接続板を介して連結され得るし、前記二分割されているヘッドフレームも、前記ヘッド接続板を介して連結され得る。
【００１５】
この場合、ヘッドボード前板とヘッドフレームとが共通のヘッド接続板を介して接続されるため、更にヘッドボード回りの構造が堅牢となり、ベッドの使い勝手が良くなる。
【００１６】
また、例えば、前記左サイドフレームは、前端部において前記ヘッドボード左板に連結され得るし、前記右サイドフレームは、前端部において前記ヘッドボード右板に連結され得るし、前記縦センターフレームは、前端部において前記ヘッド接続板に連結され得る。
【００１７】
この場合、前側の左サイドフレームと左側のヘッドフレームとがヘッドボード左板を介して接続され、且つ、前側の右サイドフレームと右側のヘッドフレームとがヘッドボード右板を介して接続されるため、更にヘッドボード回りの構造が堅牢となり、ベッドの使い勝手が良くなる。
【００１８】
また、例えば、前記二分割されている横センターフレームは、センター接続板を介して連結され得るし、前記二分割されている縦センターフレームも、前記センター接続板を介して連結され得るし、前記二分割されているフットフレームは、フット接続板を介して連結され得る。
【発明の効果】
【００１９】
本発明によれば、床板が縦センターフレームの左右において左床板と右床板とに分割されているため、床板の下方領域と上方領域との間の通気性を効果的に高めることができる。そして、各要素部材が、平面視で一辺が１２５ｃｍ以内の長方形部材として構成されていることにより、搬送サイズをより一層低減することができ、且つ、ユーザによる組立作業の際の取り扱いも容易である。
【図面の簡単な説明】
【００２０】
【図１】本発明の一実施形態に係る組立式ベッドの組立後の状態を示す概略斜視図である。
【図２】図１の組立式ベッドにおいて、引き出しと床板とを取り外した状態の概略斜視図である。
【図３】ヘッドボードの組立工程の前半を示す概略斜視図である。
【図４】ヘッドボードの組立工程の後半を示す概略斜視図である。
【図５】フットボードの組立工程を示す概略斜視図である。
【図６】横センターフレームの組立工程を示す概略斜視図である。
【図７】前方部分の最終組立工程を示す概略斜視図である。
【図８】後方部分の最終組立工程を示す概略斜視図である。
【発明を実施するための形態】
【００２１】
以下、図面を参照して本発明の実施の形態について説明する。
【００２２】
図１は、本発明の一実施形態に係る組立式ベッドの組立後の状態を示す概略斜視図であり、図２は、図１の組立式ベッドにおいて、引き出しと床板とを取り外した状態の概略斜視図である。
【００２３】
図１及び図２に示すように、本実施形態に係る組立式ベッド１００は、中央で左右に二分割されているヘッドフレーム１１、１２と、中央で左右に二分割されているフットフレーム１３、１４と、中央で前後に二分割されている左サイドフレーム１５、１６と、中央で前後に二分割されている右サイドフレーム１７、１８と、中央で前後に二分割されている縦センターフレーム１９、２０と、中央で前後に二分割されている横センターフレーム２１、２２と、を備えている。
【００２４】
左サイドフレーム１５、１６の上部右側面には、第１床板支持棚１５ａ、１６ａが一体的に設けられており、縦センターフレーム１９、２０の上部左側面には、第２床板支持棚１９ａ、２０ａが一体的に設けられており、縦センターフレーム１９、２０の上部右側面には、第３床板支持棚１９ｃ、２０ｃが一体的に設けられており、右サイドフレーム１７、１８の上部左側面には、第４床板支持棚１７ｃ、１８ｃが一体的に設けられている。
【００２５】
そして、第１床板支持棚１５ａ、１６ａと第２床板支持棚１９ａ、２０ａとの間に、４等分された左床板３１〜３４が渡されるようになっている。同様に、第３床板支持棚１９ｃ、２０ｃと第４床板支持棚１７ｃ、１８ｃとの間に、４等分された右床板３５〜３８が渡されるようになっている。床板３１〜３８の各々は、横方向に延伸するように等間隔に配置された３本の横桟ＬＢと、それらの上に渡された板部材Ｐと、からなっている。
【００２６】
また、それぞれ二分割されたヘッドフレーム１１、１２、フットフレーム１３、１４、左サイドフレーム１５、１６、右サイドフレーム１７、１８、縦センターフレーム１９、２０及び横センターフレーム２１、２２は、平面視で一辺が１２５ｃｍ以内の長方形部材として構成されている。また、各左床板３１〜３４及び各右床板３５〜３８も、平面視で一辺が１２５ｃｍ以内の長方形部材として構成されている。
【００２７】
また、本実施形態の組立式ベッド１００は、中央で左右に二分割されているヘッドボード前板４１、４２をも備えており、左側のヘッドボード前板４１の左側端部及び左側のヘッドフレーム１１の左側端部には、ヘッドボード左板４３が接続されており、右側のヘッドボード前板４２の右側端部及び右側のヘッドフレーム１２の右側端部には、ヘッドボード右板４４が接続されている。そして、二分割されたヘッドボード前板４１、４２も、平面視で一辺が１２５ｃｍ以内の長方形部材として構成されている。
【００２８】
本実施形態では、二分割されているヘッドボード前板４１、４２はヘッド接続板４５を介して連結されており、二分割されているヘッドフレーム１１、１２も共通のヘッド接続板４５を介して連結されている。また、ヘッドフレーム１１、１２は、引き出し７１、７２のためのレール部１１ｂ、１２ｂを有している。
【００２９】
また、前方の左サイドフレーム１５は、前端部においてヘッドボード左板４３に連結されており、前方の右サイドフレーム１７は、前端部においてヘッドボード右板４４に連結されており、前方の縦センターフレーム１９は、前端部においてヘッド接続板４５に連結されている。
【００３０】
更に、二分割されている横センターフレーム２１、２２は、センター接続板４６を介して連結されており、二分割されている縦センターフレーム１９、２０も、共通のセンター接続板４６を介して連結されている。横センターフレーム２１、２２は、引き出し７１、７２のためのレール部２１ｂ、２２ｂを有している。
【００３１】
また、二分割されているフットフレーム１３、１４は、フット接続板４７を介して連結されており、引き出し７１、７２のためのレール部１３ｂ、１４ｂを有している。
【００３２】
以上のような本実施形態によれば、床板が縦センターフレーム１９、２０の左右において左床板３１〜３４と右床板３５〜３８とに分割されているため、床板の下方領域と上方領域との間の通気性を効果的に高めることができる。
【００３３】
そして、各要素部材が、平面視で一辺が１２５ｃｍ以内の長方形部材として構成されていることにより、搬送サイズをより一層低減することができ、且つ、ユーザによる組立作業の際の取り扱いも容易である。
【００３４】
特に本実施形態によれば、床板が八等分された態様となっているため、床板の下方領域と上方領域との間の通気性をバランス良く高めることができる。また、各床板３１〜３８のサイズのバランスも良くなり、搬送サイズの調整も行い易くなる。
【００３５】
また、本実施形態によれば、中央で左右に二分割されているヘッドボード前板４１、４２と、左側のヘッドボード前板４１の左側端部及び左側のヘッドフレーム１１の左側端部に接続されたヘッドボード左板４３と、右側のヘッドボード前板４２の右側端部及び右側のヘッドフレーム１２の右側端部に接続されたヘッドボード右板４４と、を更に備えているため、荷重の変動を受け易いヘッドボード回りの構造が堅牢となり、ベッドの使い勝手が良くなる。
【００３６】
また、二分割されたヘッドボード前板４１、４２も、平面視で一辺が１２５ｃｍ以内の長方形部材として構成されていることにより、搬送サイズが増大することもなく、ユーザによる組立作業の際の取り扱いも容易である。
【００３７】
また、本実施形態によれば、ヘッドボード前板４１、４２とヘッドフレーム１１、１２とが共通のヘッド接続板４５を介して接続されるため、更にヘッドボード回りの構造が堅牢で、組立式ベッド１００の使い勝手が良い。
【００３８】
また、本実施形態によれば、前側の左サイドフレーム１５と左側のヘッドフレーム１１とが共通のヘッドボード左板４３を介して接続され、且つ、前側の右サイドフレーム１７と右側のヘッドフレーム１２とが共通のヘッドボード右板４４を介して接続されるため、更にヘッドボード回りの構造が堅牢で、組立式ベッド１００の使い勝手が良い。
【００３９】
次に、図３乃至図８を参照して、本実施形態の組立式ベッド１００の組立方法の詳細について説明する。本実施形態の組立式ベッド１００は、非常にコンパクトな要素部材に分解され得るが、汎用されているボルトネジ５１とカムロックネジ５２とを用いて、女性でも簡単に組立を行うことができる。
【００４０】
まず、図３は、ヘッドボードの組立工程の前半を示す概略斜視図である。図３に示すように、中央で左右に二分割されているヘッドボート背板６１、６２が、８個のボルトネジ５１を用いて、背板接続板６３を介して連結される。そして、左右に三分割されているヘッドボード天板６４〜６６が、４本のカムロックネジ５２を用いて連結される。
【００４１】
一方、図３に示すように、ヘッドボート前板４１、４２が、４個のボルトネジ５１を用いて、ヘッド接続板４５を介して連結される。そして、ヘッドフレーム１１、１２も、４個のボルトネジ５１を用いて、共通のヘッド接続板４５を介して連結される。
【００４２】
また、ヘッドボード左板４３とヘッドボード右板４４とに、それぞれ、９本のカムロックネジ５１の一端側を取り付けておく。
【００４３】
次に、図４は、ヘッドボードの組立工程の後半を示す概略斜視図である。図４に示すように、ヘッドボード背板６１、６２が、６本のカムロックネジ５２を用いて、ヘッドボード天板６４〜６６に連結され、ヘッドボード前板４１、４２も、前後方向に対称に６本のカムロックネジ５２を用いて、ヘッドボード天板６４〜６６に連結される。
【００４４】
そして、ヘッドボード左板４３とヘッドボード右板４４とが、それぞれ９本のカムロックネジ５１を介して、ヘッドボード背板６１、６２、ヘッドボード天板６４、６６、ヘッドボード前板４１、４２、ヘッドフレーム１１、１２に連結される。
【００４５】
なお、図３及び図４に示すように、ヘッドボード左板４３及びヘッドボード右板４４には、前側の左右のサイドフレーム１５、１７との連結のためのＬ字金具が、予め固定されている。
【００４６】
一方、図５は、フットボード１３、１４の組立工程を示す概略斜視図であり、図６は、横センターフレーム２１、２２の組立工程を示す概略斜視図である。図５に示すように、左右のフットボード１３、１４は、４本のボルトネジ５２を用いてフット接続板４７を介して連結される。図６に示すように、左右の横センターフレーム２１、２２も、４本のボルトネジ５１を用いてセンター接続板４６を介して連結される。
【００４７】
次に、図７は、前方部分の最終組立工程を示す概略斜視図である。図７に示すように、前側の縦センターフレーム１９の前端部は、２本のカムロックネジ５２を用いて、ヘッド接続板４５に連結される。
【００４８】
また、前側の左右のサードフレーム１５、１７の両端には、予めＬ字金具が固定されていて、前端部のＬ字金具が、各２本のボルトネジ、ナット及びワッシャを用いて、ヘッドボード左板４３及びヘッドボード右板４４のＬ字金具に対して固定される。
【００４９】
そして、前側の縦センターフレーム１９の後端部が、２本のカムロックネジ５１を用いて、センター接続板４５に連結される。
【００５０】
次に、図８は、後方部分の最終組立工程を示す概略斜視図である。図８に示すように、後側の縦センターフレーム２０の前端部は、２本のカムロックネジ５２を用いて、センター接続板４６に連結される。
【００５１】
そして、後側の左右のサードフレーム１６、１８の両端にも予めＬ字金具が固定されていて、前側の左右のサードフレーム１５、１７の後端部のＬ字金具が、各２本のボルトネジ、ナット及びワッシャと各２本の木ダボとを用いて、横センターフレーム１９、２０に設けられた貫通穴を介して後側の左右のサードフレーム１６、１８の前端部のＬ字金具に連結される。
【００５２】
そして、後側の左右のサードフレーム１６、１８の後端部のＬ字金具が、各２本のボルトネジ５１及びワッシャを用いて、ヘッドボード１３、１４に対して固定される。
【００５３】
最後に、後側の縦センターフレーム２０の後端部が、２本のカムロックネジ５２を用いて、フット接続板４７に連結される。これにより、図２の状態となる。
【符号の説明】
【００５４】
１００          組立式ベッド
１１、１２      ヘッドフレーム
１１ｂ、１２ｂ  レール部
１３、１４      フットフレーム
１３ｂ、１４ｂ  レール部
１５、１６      左サイドフレーム
１５ａ、１６ａ  第１床板棚部
１７、１８      右サイドフレーム
１７ｃ、１８ｃ  第４床板棚部
１９、２０      縦センターフレーム
１９ａ、２０ａ  第２床板棚部
１９ｃ、２０ｃ  第３床板棚部
２１、２２      横センターフレーム
２１ｂ、２２ｂ  レール部
３１〜３４      左床板
３５〜３８      右床板
ＬＢ            横桟
Ｐ              板部材
４１、４２      ヘッドボード前板
４３        ヘッドボード右板
４４        ヘッドボード左板
４５        ヘッド接続板
４６        センター接続板
４７        フット接続板
５１        ボルトネジ
５２        カムロックネジ
７１        引き出し
７２        引き出し
【図１】
2019013368.tif 000003
【図２】
2019013368.tif 000004
【図３】
2019013368.tif 000005
【図４】
2019013368.tif 000006
【図５】
2019013368.tif 000007
【図６】
2019013368.tif 000008
【図７】
2019013368.tif 000009
【図８】
2019013368.tif 000010